(57)【要約】【課題】録画された番組を利用する際の自由度の向上を図ることが可能であるとともに、同時に放送される異なる番組を録画することが可能な記録装置を提供する。【解決手段】このＤＶＤレコーダ（記録装置）１００は、デジタルテレビジョン放送を受信するためのデジタル放送受信部１ａおよび１ｂと、デジタルテレビジョン放送の番組を録画する機能を有する記録部２および３とを備えている。そしてＤＶＤレコーダ１００は、番組の複製回数が制限されている場合において、同一の番組をデジタル放送受信部１ａおよび１ｂでそれぞれ受信して記録部２のハードディスク２ａに同一の番組を２つ録画するとともに、ハードディスク２ａに２つ録画された同一の番組のうちの１つを録画後にＤＶＤ５０に移動させるか否かを録画前に選択することが可能なように構成されている。【選択図】図４
2008294915.tif 000002
【特許請求の範囲】
【請求項１】
デジタルテレビジョン放送を受信するための複数の受信部と、
前記デジタルテレビジョン放送の番組を録画する第１記録部および第２記録部とを備え、
前記番組の複製回数が制限されている場合において、同一の前記番組を前記複数の受信部でそれぞれ受信して前記第１記録部に前記複数の受信部により受信された複数の同一の番組を録画するとともに、前記第１記録部に録画された前記複数の同一の番組のうちの１つを録画後に前記第２記録部に移動させるか否かを録画前に選択することが可能なように構成されている、記録装置。
【請求項２】
表示部が接続されるとともに、前記表示部の表示を制御する制御部をさらに備え、
前記制御部は、前記第１記録部に録画された前記複数の同一の番組のうちの１つを録画後に前記第２記録部に移動させるか否かを選択する第１選択画面を録画前に前記表示部に表示させるように前記表示部を制御するように構成されている、請求項１に記載の記録装置。
【請求項３】
表示部が接続されるとともに、前記表示部の表示を制御する制御部をさらに備え、
前記制御部は、前記同一の番組を前記複数の受信部でそれぞれ受信して前記第１記録部に前記複数の受信部により受信された前記複数の同一の番組を録画するか、または、異なる前記番組を前記複数の受信部でそれぞれ受信して前記第１記録部に前記異なる番組をそれぞれ録画するかを選択する第２選択画面を録画前に前記表示部に表示させるように前記表示部を制御するように構成されている、請求項１または２に記載の記録装置。
【請求項４】
表示部が接続されるとともに、前記表示部の表示を制御する制御部をさらに備え、
前記制御部は、前記第１記録部に録画された番組の一覧表を前記表示部に表示させるように前記表示部を制御するように構成されており、
前記表示部に表示される一覧表は、前記第１記録部に録画された前記複数の同一の番組のうちの１つが前記第２記録部に移動されたか否かの表示を含む、請求項１〜３のいずれか１項に記載の記録装置。
【請求項５】
前記第１記録部は、記録媒体としてのハードディスクと、前記ハードディスクを駆動するハードディスク駆動部とを含み、
前記第２記録部は、着脱可能な記録媒体としての光ディスクを駆動する光ディスク駆動部を含む、請求項１〜４のいずれか１項に記載の記録装置。
【発明の詳細な説明】
【技術分野】
【０００１】
本発明は、記録装置に関し、特に、第１記録部および第２記録部を備えた記録装置に関する。
【背景技術】
【０００２】
近年、デジタルテレビジョン放送では、コンテンツ（番組）の著作権保護のため、コンテンツにコピー制御情報（Ｃｏｐｙ  Ｃｏｎｔｒｏｌ  Ｉｎｆｏｒｍａｔｉｏｎ）が付与されている。具体的には、デジタルテレビジョン放送では、多くのコンテンツに「１世代のみコピー可」であるコピー制御情報が付与されており、ハードディスクに録画されたコンテンツは、ＤＶＤ（デジタル多用途ディスク）にコピーすることができず、移動（ムーブ）しかできない。また、ハードディスクに録画されたコンテンツをＤＶＤにムーブした場合には、ＤＶＤにムーブされたコンテンツをハードディスクに戻すことができない。したがって、デジタルテレビジョン放送されたコンテンツを利用する際の自由度が低いという不都合があった。
【０００３】
そこで、従来では、録画されたコンテンツを利用する際の自由度の向上を図ることが可能な記録装置が提案されている（たとえば、特許文献１および２参照）。
【０００４】
上記特許文献１には、１つの入力部と、ＤＶＤレコーダ（光ディスク駆動部）およびＨＤＤ（ハードディスク駆動部）と、入力部から入力された１つのコンテンツをＤＶＤレコーダおよびＨＤＤに同時に並列に出力するレート変換部とを備えたコンテンツ録画装置（記録装置）が開示されている。このコンテンツ録画装置は、１つのコンテンツをＤＶＤおよびハードディスクに同時に録画した場合には、コンテンツが録画されたＤＶＤがＤＶＤレコーダに装着されているときのみ、ハードディスクに録画された同じコンテンツが利用可能となるように構成されている。
【０００５】
また、上記特許文献２には、１つのチューナ部（受信部）と、光ディスクドライブおよびＨＤＤと、チューナ部から入力されたオリジナルコンテンツからムーブ用コンテンツを生成するムーブ用コンテンツ生成部とを備えた記録装置が開示されている。この記録装置は、オリジナルコンテンツおよびムーブ用コンテンツをハードディスクに記録するとともに、記録されたオリジナルコンテンツおよびムーブ用コンテンツを光ディスクに移動可能なように構成されている。
【０００６】
【特許文献１】特開２００６−１１５１２５号公報
【特許文献２】特開２００６−３１９００号公報
【発明の開示】
【発明が解決しようとする課題】
【０００７】
しかしながら、上記特許文献１に開示された従来のコンテンツ録画装置、および、上記特許文献２に開示された従来の記録装置では、録画された番組を利用する際の自由度の向上を図ることが可能である一方、同時に放送される異なるコンテンツ（番組）を録画することができないという問題点がある。
【０００８】
この発明は、上記のような課題を解決するためになされたものであり、この発明の１つの目的は、録画された番組を利用する際の自由度の向上を図ることが可能であるとともに、同時に放送される異なる番組を録画することが可能な記録装置を提供することである。
【課題を解決するための手段および発明の効果】
【０００９】
上記目的を達成するために、この発明の一の局面における記録装置は、デジタルテレビジョン放送を受信するための複数の受信部と、デジタルテレビジョン放送の番組を録画する第１記録部および第２記録部とを備え、番組の複製回数が制限されている場合において、同一の番組を複数の受信部でそれぞれ受信して第１記録部に複数の受信部により受信された複数の同一の番組を録画するとともに、第１記録部に録画された複数の同一の番組のうちの１つを録画後に第２記録部に移動させるか否かを録画前に選択することが可能なように構成されている。
【００１０】
この発明の一の局面による記録装置では、上記のように、複数の受信部を設けることによって、複数の受信部により、同時に放送される異なる番組をそれぞれ受信することができるので、同時に放送される異なる番組を第１記録部に録画することができる。また、複数の受信部を設けることによって、デジタルテレビジョン放送される番組の複製回数が制限されている場合にも、複数の受信部により、同一の番組をそれぞれ受信することができるので、同一の番組を第１記録部に複数録画することができる。このため、録画された番組を第１記録部に残した状態で、録画された複数の同一の番組のうちの１つを第２記録部に移動させるとともに、第２記録部の記録媒体を着脱可能に構成すれば、第１記録部に録画された番組を記録装置で利用することができるとともに、着脱可能な記録媒体に録画された番組を録画した記録装置以外の再生装置で利用することができるので、録画された番組を利用する際の自由度の向上を図ることができる。この場合において、第１記録部から第２記録部の記録媒体に移動させることが可能な同一の番組の数は、第１記録部に録画された同一の番組の数、すなわち、受信部の数であるので、番組が無制限に複製されるのを抑制することができる。また、第１記録部に録画された複数の同一の番組のうちの１つを録画後に第２記録部に移動させるか否かを録画前に選択することが可能なように構成することによって、第１記録部に録画された複数の同一の番組のうちの１つを録画後に第２記録部に移動させるように選択した場合には、第１記録部の空き容量が減少するのを抑制することができる。
【００１１】
上記一の局面による記録装置において、好ましくは、表示部が接続されるとともに、表示部の表示を制御する制御部をさらに備え、制御部は、第１記録部に録画された複数の同一の番組のうちの１つを録画後に第２記録部に移動させるか否かを選択する第１選択画面を録画前に表示部に表示させるように表示部を制御するように構成されている。このように構成すれば、第１選択画面により、容易に、ユーザが第１記録部に録画された複数の同一の番組のうちの１つを録画後に第２記録部に移動させるか否かを録画前に選択することができる。
【００１２】
上記一の局面による記録装置において、好ましくは、表示部が接続されるとともに、表示部の表示を制御する制御部をさらに備え、制御部は、同一の番組を複数の受信部でそれぞれ受信して第１記録部に複数の受信部により受信された複数の同一の番組を録画するか、または、異なる番組を複数の受信部でそれぞれ受信して第１記録部に異なる番組をそれぞれ録画するかを選択する第２選択画面を録画前に表示部に表示させるように表示部を制御するように構成されている。このように構成すれば、第２選択画面により、容易に、ユーザが同一の番組を同時に複数録画するか、または、異なる番組を同時に録画するかを録画前に選択することができる。
【００１３】
上記一の局面による記録装置において、好ましくは、表示部が接続されるとともに、表示部の表示を制御する制御部をさらに備え、制御部は、第１記録部に録画された番組の一覧表を表示部に表示させるように表示部を制御するように構成されており、表示部に表示される一覧表は、第１記録部に録画された複数の同一の番組のうちの１つが第２記録部に移動されたか否かの表示を含む。このように構成すれば、表示部に一覧表を表示させることにより、容易に、ユーザが第１記録部に複数録画された同一の番組のうちの１つが第２記録部に移動されたか否かを確認することができる。
【００１４】
上記一の局面による記録装置において、好ましくは、第１記録部は、記録媒体としてのハードディスクと、ハードディスクを駆動するハードディスク駆動部とを含み、第２記録部は、着脱可能な記録媒体としての光ディスクを駆動する光ディスク駆動部を含む。このように構成すれば、ハードディスクに複数の同一の番組を録画するとともに、ハードディスクに録画された番組を残した状態で、ハードディスクに録画された複数の同一の番組のうちの１つを光ディスクに移動させれば、容易に、ハードディスクに録画された番組を記録装置で利用することができるとともに、着脱可能な光ディスクに録画された番組を録画した記録装置以外の再生装置で利用することができる。
【発明を実施するための最良の形態】
【００１５】
以下、本発明の実施形態を図面に基づいて説明する。
【００１６】
図１および図２は、本発明の一実施形態によるＤＶＤレコーダおよび表示装置の全体構成を示した図である。図３は、図１に示した一実施形態によるＤＶＤレコーダの録画リストが表示された状態を示した図である。まず、図１〜図３を参照して、本発明の一実施形態によるＤＶＤレコーダ１００の構成について説明する。なお、本実施形態では、記録装置の一例であるＤＶＤレコーダ１００に本発明を適用した場合について説明する。
【００１７】
本発明の一実施形態によるＤＶＤレコーダ１００は、デジタルテレビジョン放送された番組などを録画するとともに、録画された番組などを再生する機能を有する。また、ＤＶＤレコーダ１００の近傍には、図１に示すように、ＤＶＤレコーダ１００が再生する番組を表示するための表示装置５００が設けられている。この表示装置５００は、ＤＶＤレコーダ１００に接続されており、ＤＶＤレコーダ１００により表示が制御されている。なお、表示装置５００は、本発明の「表示部」の一例である。
【００１８】
また、本実施形態では、ＤＶＤレコーダ１００は、図２に示すように、デジタル放送受信部１ａおよび１ｂと、記録部２および３と、制御部４と、出力部５と、記憶部６とを含んでいる。なお、記録部２および３は、それぞれ、本発明の「第１記録部」および「第２記録部」の一例である。
【００１９】
また、本実施形態では、デジタル放送受信部１ａおよび１ｂは、アンテナ５１０を介してデジタルテレビジョン放送を受信するとともに、受信した番組を制御部４に伝達する機能を有する。また、記録部２は、デジタルテレビジョン放送された番組などを録画するするとともに、録画された番組を再生するために設けられている。また、記録部２は、記録媒体としてのハードディスク２ａおよびハードディスク駆動部２ｂなどにより構成されている。
【００２０】
また、記録部３は、デジタルテレビジョン放送された番組などを着脱可能な記録媒体としてのＤＶＤ（デジタル多用途ディスク）５０に録画するとともに、ＤＶＤ５０を再生するために設けられている。また、記録部３は、ディスクトレイ、光ピックアップおよびＤＶＤ駆動部３ａなどにより構成されている。また、記録部３は、ディスクトレイに載置されるＤＶＤ５０を取り替え可能に構成されている。なお、ＤＶＤ５０は、本発明の「光ディスク」の一例であり、ＤＶＤ駆動部３ａは、本発明の「光ディスク駆動部」の一例である。
【００２１】
また、制御部４は、ＤＶＤレコーダ１００の動作を制御するために設けられている。具体的には、制御部４は、デジタル放送受信部１ａおよび１ｂが受信した番組を出力部５を介して表示装置５００に出力する機能を有するとともに、デジタル放送受信部１ａおよび１ｂが受信した番組を記録部２および３に伝達する機能を有する。また、記憶部６には、図３に示すような記録部２の録画リストＷ１の情報が記憶されている。この録画リストＷ１は、録画されている番組名およびその録画された番組に対して実行可能な項目を含む。なお、録画リストＷ１は、本発明の「一覧表」の一例である。
【００２２】
ここで、本実施形態では、ＤＶＤレコーダ１００は、デジタル放送受信部１ａおよび１ｂがそれぞれ異なる番組を受信することにより、同時に放送される異なる番組を記録部２のハードディスク２ａに録画することが可能なように構成されている。また、ＤＶＤレコーダ１００は、デジタル放送受信部１ａおよび１ｂが同一の番組を受信することにより、同一の番組をハードディスク２ａに２つ録画することが可能なように構成されている。この場合、ＤＶＤレコーダ１００は、デジタルテレビジョン放送された番組に「１世代のみコピー可」であるコピー制御情報が付与されている場合にも、２つのうちの一方をハードディスク２ａに残した状態で２つのうちの他方をＤＶＤ５０に移動（ムーブ）させることにより、ハードディスク２ａに録画された番組を１回だけＤＶＤ５０にダビングすることが可能なように構成されている。
【００２３】
また、本実施形態では、ＤＶＤレコーダ１００の録画リストＷ１は、ハードディスク２ａに同一の番組が２つ録画されている場合には、図３に示した録画リストＷ１の「○○ニュース」のように、録画された番組名に対応して「再生」、「削除」、「ダビング」および「ダビング用のみ削除」の項目が表示されるように構成されている。また、ＤＶＤレコーダ１００の録画リストＷ１は、ハードディスク２ａに録画された番組を残した状態でダビングが行われた場合には、図３に示した録画リストＷ１の「ドラマ○○」のように、録画された番組名に対応して「再生」、「削除」、「ムーブ」および「ダビング済」の項目が表示されるように構成されている。また、ＤＶＤレコーダ１００の録画リストＷ１は、ハードディスク２ａに番組が１つだけ録画された場合には、図３に示した録画リストＷ１の「野球  Ａ×Ｂ」のように、録画された番組名に対応して「再生」、「削除」および「ムーブ」の項目が表示されるように構成されている。
【００２４】
また、ＤＶＤレコーダ１００は、予約録画を行うことが可能なように構成されている。具体的には、ＤＶＤレコーダ１００は、デジタル放送受信部１ａおよび１ｂの一方を用いて放送される番組を１つだけ予約録画する「通常予約」を行うことが可能なように構成されている。また、ＤＶＤレコーダ１００は、デジタル放送受信部１ａおよび１ｂの両方を用いて同時に放送される異なる番組をそれぞれ予約録画する「異なる番組を予約」を行うことが可能なように構成されている。また、ＤＶＤレコーダ１００は、デジタル放送受信部１ａおよび１ｂの両方を用いて同じ番組を２つ予約録画する「同じ番組を予約」を行うことが可能なように構成されている。
【００２５】
図４は、本発明の一実施形態によるＤＶＤレコーダの予約録画動作を説明するためのフローチャートである。図５〜図８は、本発明の一実施形態によるＤＶＤレコーダの予約録画動作を説明するための図である。次に、図２〜図８を参照して、本発明の一実施形態によるＤＶＤレコーダ１００の予約録画動作について説明する。
【００２６】
まず、図４のステップＳ１において、制御部４（図２参照）により、図５に示すように、ユーザに「通常予約」または「同時予約」を選択させる選択画面Ｗ２が表示装置５００に表示される。次に、ステップＳ２において、制御部４により、「同時予約」が選択されたか否かが判断される。そして、制御部４により、「同時予約」が選択されていないと判断された場合には、ステップＳ３において、制御部４により、「通常予約」が選択されたか否かが判断される。そして、制御部４により、「通常予約」が選択されていないと判断された場合には、ステップＳ２に戻り、「通常予約」が選択されたと判断された場合には、ステップＳ９に進む。
【００２７】
その一方、ステップＳ２において、制御部４により、「同時予約」が選択されたと判断された場合には、ステップＳ４において、制御部４により、図６に示すように、ユーザに「異なる番組を予約」または「同じ番組を予約」を選択させる選択画面Ｗ３が表示装置５００に表示される。なお、この選択画面Ｗ３は、本発明の「第２選択画面」の一例である。
【００２８】
次に、ステップＳ５において、制御部４により、「同じ番組を予約」が選択されたか否かが判断される。そして、制御部４により、「同じ番組を予約」が選択されていないと判断された場合には、ステップＳ６において、制御部４により、「異なる番組を予約」が選択されたか否かが判断される。そして、制御部４により、「異なる番組を予約」が選択されていないと判断された場合には、ステップＳ５に戻り、「異なる番組を予約」が選択されたと判断された場合には、ステップＳ９に進む。
【００２９】
その一方、ステップＳ５において、制御部４により、「同じ番組を予約」が選択されたと判断された場合には、ステップＳ７において、制御部４により、図７に示すように、ユーザに自動ダビング設定をオンにするか否かを選択させる選択画面Ｗ４が表示装置５００に表示される。なお、この選択画面Ｗ４は、本発明の「第１選択画面」の一例である。
【００３０】
その後、ステップＳ８において、制御部４により、自動ダビング設定をオンにするか否かが選択された否かが判断される。そして、制御部４により、自動ダビング設定をオンにするか否かが選択されたと判断された場合には、ステップＳ９に進み、自動ダビング設定をオンにするか否かが選択されていないと判断された場合には、ステップＳ８が繰り返し行われる。
【００３１】
次に、ステップＳ９において、制御部４により、図８に示すように、ユーザに予約する番組を選択させる電子番組表（Ｅｌｅｃｔｒｏｎｉｃ  Ｐｒｏｇｒａｍ  Ｇｕｉｄｅ）Ｗ５が表示装置５００に表示される。その後、ステップＳ１０において、制御部４により、番組が予約されたか否かが判断される。なお、ステップＳ６において、「異なる番組を予約」が選択された場合には、同じ時間帯の異なる２つの番組が予約されたか否かが判断される。そして、制御部４により、番組が予約されたと判断された場合には、ステップＳ１１に進み、番組が予約されていないと判断された場合には、ステップＳ１０が繰り返し行われる。
【００３２】
次に、ステップＳ１１において、制御部４により、予約された番組が記録部２（図２参照）のハードディスク２ａに録画される。なお、ステップＳ５において、「同じ番組を予約」が選択された場合には、デジタル放送受信部１ａおよび１ｂ（図２参照）が同一の番組を受信することにより、同じ番組が２つ録画される。また、ステップＳ６において、「異なる番組を予約」が選択された場合には、デジタル放送受信部１ａおよび１ｂ（図２参照）がそれぞれ異なる番組を受信することにより、同じ時間帯の異なる２つの番組がそれぞれ録画される。
【００３３】
次に、ステップＳ１２において、制御部４により、自動ダビング設定がされているか否かが判断される。そして、制御部４により、自動ダビング設定がされていると判断された場合には、ステップＳ１３において、制御部４により、２つ録画された同じ番組のうちの一方をハードディスク２ａに残した状態で２つのうちの他方をＤＶＤ５０に移動（ムーブ）させる。その一方、制御部４により、自動ダビング設定がされていないと判断された場合には、ステップＳ１４に進む。
【００３４】
次に、ステップＳ１４において、制御部４により、記憶部６（図２参照）に記憶された録画リストＷ１が更新され、予約録画動作が終了する。なお、ステップＳ１２において、自動ダビング設定がされていると判断された場合には、図３に示した「ドラマ○○」のように、録画された番組名に対応して「再生」、「削除」、「ムーブ」および「ダビング済」の項目が表示されるように録画リストＷ１が更新される。また、ステップＳ５において、「同じ番組を予約」が選択されるとともに、ステップＳ１２において、自動ダビング設定がされていないと判断された場合には、図３に示した「○○ニュース」のように、録画された番組名に対応して「再生」、「削除」、「ダビング」および「ダビング用のみ削除」の項目が表示されるように録画リストＷ１が更新される。また、ステップＳ３において、「通常予約」が選択された場合、および、ステップＳ６において、「異なる番組を予約」が選択された場合には、図３に示した「野球  Ａ×Ｂ」のように、録画された番組名に対応して「再生」、「削除」および「ムーブ」の項目が表示されるように録画リストＷ１が更新される。
【００３５】
本実施形態では、上記のように、デジタル放送受信部１ａおよび１ｂを設けることによって、同時に放送される異なる番組をそれぞれ受信することができるので、同時に放送される異なる番組を記録部２のハードディスク２ａに録画することができる。また、デジタル放送受信部１ａおよび１ｂにより、同一の番組をそれぞれ受信することができるので、同一の番組をハードディスク２ａに２つ録画することができる。このため、録画された番組の一方をハードディスク２ａに残した状態で、録画された番組の他方を記録部３に着脱可能なＤＶＤ５０に移動させることにより、ハードディスク２ａに録画された番組をＤＶＤレコーダ１００で利用することができるとともに、着脱可能なＤＶＤ５０に録画された番組をＤＶＤレコーダ１００以外の再生装置で利用することができるので、録画された番組を利用する際の自由度の向上を図ることができる。この場合において、ハードディスク２ａからＤＶＤ５０に移動させることが可能な同一の番組の数は２つであるので、番組が無制限に複製されるのを抑制することができる。
【００３６】
また、本実施形態では、自動ダビング設定がされることによって、ハードディスク２ａの空き容量が減少するのを抑制することができる。
【００３７】
また、本実施形態では、自動ダビング設定をオンにするか否かを選択させる選択画面Ｗ４を表示装置５００に表示することによって、容易に、ユーザが自動ダビング設定をオンにするか否かを選択することができる。
【００３８】
また、本実施形態では、「異なる番組を予約」または「同じ番組を予約」を選択させる選択画面Ｗ３を表示装置５００に表示することによって、容易に、ユーザが「異なる番組を予約」または「同じ番組を予約」を選択することができる。
【００３９】
また、本実施形態では、録画リストＷ１が「ダビング済」の表示を含むことによって、容易に、ユーザがハードディスク２ａに録画された２つの同じ番組のうちの１つがＤＶＤ５０に移動されたか否かを確認することができる。
【００４０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４１】
たとえば、上記実施形態では、ＤＶＤレコーダ１００の予約録画動作について説明したが、本発明はこれに限らず、放送中の番組を録画する場合にも適用可能である。
【００４２】
また、上記実施形態では、自動ダビング設定がされている場合に、同じ番組をハードディスク２ａに２つ録画した後、２つ録画された同じ番組のうちの一方をハードディスク２ａに残した状態で２つのうちの他方をＤＶＤ５０に移動（ムーブ）させる例を示したが、本発明はこれに限らず、自動ダビング設定がされている場合に、同じ番組をハードディスク２ａに２つ録画することなく、デジタル放送受信部１ａで受信した番組をハードディスク２ａに録画するとともに、デジタル放送受信部１ｂで受信した同じ番組をＤＶＤ５０に録画するようにしてもよい。
【００４３】
また、上記実施形態では、「通常予約」または「同時予約」を選択させる選択画面Ｗ２を表示後、「異なる番組を予約」または「同じ番組を予約」を選択させる選択画面Ｗ３を表示する例を示したが、本発明はこれに限らず、「通常予約」、「異なる番組を同時予約」または「同じ番組を同時予約」を選択させる選択画面を表示するようにしてもよい。
【００４４】
また、上記実施形態では、ＤＶＤレコーダ１００に記憶部６を設ける例を示したが、本発明はこれに限らず、記憶部を設けることなく、録画リストＷ１を記録部２のハードディスク２ａに記憶させるようにしてもよい。
【図面の簡単な説明】
【００４５】
【図１】本発明の一実施形態によるＤＶＤレコーダおよび表示装置の全体構成を示した斜視図である。
【図２】図１に示した一実施形態によるＤＶＤレコーダおよび表示装置の全体構成を示したブロック図である。
【図３】図１に示した一実施形態によるＤＶＤレコーダの録画リストが表示された状態を示した図である。
【図４】本発明の一実施形態によるＤＶＤレコーダの予約録画動作を説明するためのフローチャートである。
【図５】本発明の一実施形態によるＤＶＤレコーダの予約録画動作を説明するための図である。
【図６】本発明の一実施形態によるＤＶＤレコーダの予約録画動作を説明するための図である。
【図７】本発明の一実施形態によるＤＶＤレコーダの予約録画動作を説明するための図である。
【図８】本発明の一実施形態によるＤＶＤレコーダの予約録画動作を説明するための図である。
【符号の説明】
【００４６】
１ａ、１ｂ  デジタル放送受信部（受信部）
２  記録部（第１記録部）
２ａ  ハードディスク
２ｂ  ハードディスク駆動部
３  記録部（第２記録部）
３ａ  ＤＶＤ駆動部（光ディスク駆動部）
４  制御部
５０  ＤＶＤ（光ディスク）
１００  ＤＶＤレコーダ（記録装置）
５００  表示装置（表示部）
【図１】
2008294915.tif 000003
【図２】
2008294915.tif 000004
【図３】
2008294915.tif 000005
【図４】
2008294915.tif 000006
【図５】
2008294915.tif 000007
【図６】
2008294915.tif 000008
【図７】
2008294915.tif 000009
【図８】
2008294915.tif 000010